(57)【要約】【課題】降雨による雨水等の流下に対して厚層基材の滑落を防止することが可能な斜面緑化工法および斜面緑化用部材の提供。【解決手段】緑化斜面を構築すべき傾斜した地盤１に、所定間隔ごとに複数のストッパ部材２を立設し、アンカーピン３を打ち込んで固定する。このとき、ストッパ部材２が、互いに地盤１の傾斜方向と２０〜４５°の角をなす方向に配置されるようにする。その後、地盤１およびストッパ部材２を覆うように、地盤１に向けて厚層基材を吹き付けて硬化させることにより客土層を形成する。【選択図】  図２
2006002482.tif 000002
【特許請求の範囲】
【請求項１】
傾斜した地盤上に厚層基材を吹付け施工する斜面緑化工法において、複数のストッパ部材を互いに前記地盤の傾斜方向と前記厚層基材の内部摩擦角をなす方向に配置されるように前記地盤上に立設した後、前記厚層基材を吹付け施工することを特徴とする斜面緑化工法。
【請求項２】
傾斜した地盤上に厚層基材を吹付け施工する斜面緑化工法において、複数のストッパ部材を互いに前記地盤の傾斜方向と２０〜４５°の角をなす方向に配置されるように前記地盤上に立設した後、前記厚層基材を吹付け施工することを特徴とする斜面緑化工法。
【請求項３】
前記ストッパ部材は、円柱状または円盤状のものを用いる請求項１または２に記載の斜面緑化工法。
【請求項４】
前記ストッパ部材は、前記厚層基材の吹付け厚さに合わせた厚さのものを用いる請求項１から３のいずれかに記載の斜面緑化工法。
【請求項５】
前記ストッパ部材は、建設発生木材、間伐材または発泡ガラス材の成形品のいずれかを用いる請求項１から４のいずれかに記載の斜面緑化工法。
【請求項６】
傾斜した地盤上に厚層基材を吹付け施工した斜面緑化用部材であって、複数のストッパ部材を互いに前記地盤の傾斜方向と前記厚層基材の内部摩擦角をなす方向に配置されるように前記地盤上に立設したことを特徴とする斜面緑化用部材。
【請求項７】
傾斜した地盤上に厚層基材を吹付け施工した斜面緑化用部材であって、複数のストッパ部材を互いに前記地盤の傾斜方向と２０〜４５°の角をなす方向に配置されるように前記地盤上に立設したことを特徴とする斜面緑化用部材。
【発明の詳細な説明】
【技術分野】
【０００１】
本発明は、山間地の傾斜面や新規造成地の傾斜面などの傾斜した地盤に植物が生育可能な斜面を構築するための斜面緑化工法および斜面緑化用部材に関する。
【背景技術】
【０００２】
山間地あるいは新規造成地の傾斜面などの傾斜地盤は、そのまま放置すると風雨などの自然作用によって徐々に浸食され、土石流や泥流などの災害を発生するおそれがある。このため、従来、斜面にモルタルを吹き付けて固化させるモルタル吹付工法が施工されている。
【０００３】
しかしながら、モルタルを固化させて構築された斜面は透水性がないので、降雨の際の雨水は、そのほとんどがモルタル斜面に沿って流下していくこととなる。このため、集中豪雨などで大量の雨水が降り注ぐと、モルタル斜面に沿って大量の水が流下し、斜面下方の領域が浸水するなどの被害が生じる可能性がある。
【０００４】
また、自然の斜面に比べると、人工的に形成したモルタル斜面には植物が生育しにくいので、施工後も灰白色をした殺風景なモルタル面が露出した状態が続くことになるため、自然の景観を損なうことになる。そこで、景観の向上などを目的として、斜面の緑化工事が施工されている。
【０００５】
例えば、特許文献１に記載の斜面緑化工法では、地盤上に粒状体と堆肥と植物種子と粘着材とを含有する基盤材を吹付け、硬化させることにより、客土層を形成する。これにより、植物種子の発芽、生育に適した客土層が形成されるため、時間が経過するにつれて、基盤材に含まれる植物種子が養分を吸収しながら発芽、成長し、緑豊かな緑化斜面を形成することができるというものである。
【０００６】
【特許文献１】特開平１１−３６３１１号公報（第３−６頁）
【発明の開示】
【発明が解決しようとする課題】
【０００７】
ところが斜面緑化工法では、粒状体と堆肥と植物種子と粘着材とを含有する厚層基材を吹き付けて硬化させるが、モルタルを吹き付けて固化するモルタル吹付工法と異なり、植生を目的とするため、厚層基材が固化することはない。そのため、降雨による雨水が地山の斜面に沿って流下すると、植物が生育（発芽）する前に、吹き付けた厚層基材が滑落する可能性がある。
【０００８】
そこで、本発明においては、降雨による雨水等の流下に対して厚層基材の滑落を防止することが可能な斜面緑化工法および斜面緑化用部材を提供することを目的とする。
【課題を解決するための手段】
【０００９】
本発明の斜面緑化工法は、傾斜した地盤上に厚層基材を吹付け施工する斜面緑化工法において、複数のストッパ部材を互いに地盤の傾斜方向と厚層基材の内部摩擦角をなす方向に配置されるように地盤上に立設した後、厚層基材を吹付け施工することを特徴とする。
【００１０】
本発明の斜面緑化工法によれば、傾斜した地盤上に吹付け施工された厚層基材が滑り出そうとするときの角度すなわち地盤の傾斜方向と内部摩擦角をなす方向にストッパ部材が配置されるので、このストッパ部材が植物の生育（発芽）前の厚層基材の滑りを抑止する。
【００１１】
なお、厚層基材の内部摩擦角φは通常２０〜３０°であるが、厚層基材に連続間隙を有する発泡ガラスまたはゼオライト化発泡ガラスや、廃木材をチップ化した素材等を混合した場合には、φ＝３０〜４５°となる。したがって、上記地盤の傾斜方向と厚層基材の内部摩擦角をなす方向とは、地盤の傾斜方向と２０〜４５°の角をなす方向とすることができる。
【００１２】
ここで、ストッパ部材は、円柱状または円盤状のものを用いることが望ましい。円柱状または円盤状のものであれば、厚層基材が滑ろうとする力を分散することができるので、厚層基材の滑りによる偏りを防止することができる。
【００１３】
また、ストッパ部材は、厚層基材の吹付け厚さに合わせた厚さのものを用いることが望ましい。これにより、ストッパ部材を、厚層基材を吹き付ける際の吹付け厚さの確認に利用することができる。
【００１４】
ストッパ部材は、建設発生木材、間伐材または発泡ガラス材のボード材などの成形品のいずれかを用いることが望ましい。これにより、建設発生木材および間伐材の再利用が可能になるとともに、将来腐食した場合に、土中において分解し、植物の栄養分となるので、さらに緑化作用を高めることができる。また、発泡ガラス材の成形品とすることで、耐久性が高くなるとともに水分の保水材となるので、緑化促進に貢献できる。また、廃ガラスの再利用も可能となる。また、発泡ガラス材が軽量であるため、さらに斜面保護に有利となる。
【発明の効果】
【００１５】
（１）複数のストッパ部材を互いに地盤の傾斜方向と厚層基材の内部摩擦角をなす方向に配置されるように地盤上に立設した後、厚層基材を吹付け施工することにより、ストッパ部材が厚層基材の滑りを抑止するので、降雨による雨水等の流下に対して植物の生育（発芽）前の厚層基材の滑落を防止して、緑化斜面を構築することが可能となる。
【００１６】
（２）複数のストッパ部材を互いに地盤の傾斜方向と２０〜４５°の角をなす方向に配置されるように地盤上に立設した後、厚層基材を吹付け施工することにより、通常の厚層基材から、連続間隙を有する発泡ガラスまたはゼオライト化発泡ガラスや、廃木材をチップ化した素材等を混合した厚層基材までを使用した場合に、厚層基材の内部摩擦角が大きくなるため、その滑落を防止することが可能となる。
【００１７】
（３）円柱状または円盤状のストッパ部材を用いることで、厚層基材が滑ろうとする力を滑らかに分散することができ、厚層基材の滑りによる偏りを防止し、安定した緑化斜面を構築することができる。
【００１８】
（４）厚層基材の吹付け厚さに合わせた厚さのストッパ部材を用いることにより、このストッパ部材を、厚層基材を吹き付ける際の吹付け厚さの確認に利用することができ、均一な厚さの緑化斜面を容易に構築することが可能となる。
【００１９】
（５）ストッパ部材として、建設発生木材または間伐材を用いることにより、建設発生木材および間伐材の再利用が可能になるとともに、将来腐食した場合に、土中において分解し、植物の栄養分となるので、さらに緑化作用を高めることができる。
【００２０】
（６）ストッパ部材として、発泡ガラス材の成形品を用いることで、耐久性が高くなるとともに水分の保水材となるので、緑化促進に貢献できる。また、廃ガラスの再利用がも可能となる。また、発泡ガラス材が軽量であるため、さらに斜面保護に有利となる。
【発明を実施するための最良の形態】
【００２１】
図１は本発明の実施の形態における斜面緑化工法の工程説明図、図２は図１（ａ）のＡ矢視図、図３はストッパ部材の例を示す斜視図である。
【００２２】
本発明の実施の形態における斜面緑化工法では、まず、図１（ａ）に示すように、緑化斜面を構築すべき傾斜した地盤１に、所定間隔ごとに複数の円柱状または円盤状のストッパ部材２を立設し、アンカーピン３を打ち込んで固定する。このとき、図２に示すように、ストッパ部材２が、互いに地盤１の傾斜方向と２０〜４５°の角をなす方向に配置されるようにする。
【００２３】
次に、必要に応じて、図１（ｂ）に示すように、地盤１およびストッパ部材２を覆うようにラス金網４を張設し、係止ピン５を用いて地盤１に固定する。ここで、ラス金網４とは、亜鉛めっき鉄線を素材とする菱形金網のことである。ラス金網４は、一定のピッチで山形に曲げられた列線を違いに絡ませることによって形成された平行四辺形の編み目を有する網状体である。なお、ラス金網４に代えて、植生ネットを使用することも可能である。
【００２４】
ラス金網４の張設が完了したら、図１（ｃ）に示すように、地盤１、ストッパ部材２およびラス金網４を覆うように、地盤１に向けて厚層基材６を吹き付けて硬化させることにより客土層７を形成する。厚層基材６は、連続気泡を有する発泡ガラスの粒状体８、堆肥、植物種子、粘着材および化学肥料などを含有する。工事完了後時間が経過すると、客土層７中の植物種子が発芽し外部に向かって植物が成長していき、緑豊かな緑化斜面が構築される。
【００２５】
上記の工法により構築された斜面緑化用部材では、所定間隔ごとに立設された複数のストッパ部材２が互いに地盤１の傾斜方向と２０〜４５°の角をなす方向、すなわち、厚層基材６が滑り出そうとするときの角度（内部摩擦角）をなす方向に配置されているので、このストッパ部材２が、滑ろうとする厚層基材６を止める。これにより、降雨による雨水等の流下に対して厚層基材６の滑落を防止することができる。
【００２６】
通常、厚層基材６の内部摩擦角φは、通常φ＝２０〜３０°である。ところが、厚層基材６に発泡ガラス（連続間隙構造）またはゼオライト化発泡ガラス（連続間隙構造）や、廃木材をチップ化した素材等を混合した場合、内部摩擦角はφ＝３０〜４５°へと大きくなる。すなわち、本実施形態において想定する厚層基材６は、内部摩擦角がφ＝２０〜４５°、粘着力Ｃ＝０〜０．５ｔ／ｍ2の広範囲の土の定数を持つ。したがって、本実施形態における斜面緑化工法では、このような広範囲の土の定数を持つ厚層基材６が、植物の生育（発芽）前に滑落しないようにするため、この厚層基材６が滑ろうとする力を打ち消す角度、すなわち地盤１の傾斜方向と内部摩擦角φをなす方向にストッパ部材２を配置している。
【００２７】
なお、ストッパ部材２としては、図３（ａ）に示すように円柱状に形成した発泡ガラス材の成形品２ａまたは図３（ｃ）に示すように円盤状に形成した発泡ガラス材の成型品２ｃや、図３（ｂ）に示すような建設発生木材または間伐材等の円柱状の木材２ｂまたは図３（ｄ）に示すような円盤状の木材２ｄ等を用いることができる。厚層基材６の滑落を防止するためには、ストッパ部材２の外径はＤ＝１０〜５０ｃｍ程度とするのが最も望ましい。また、厚さｔは任意であるが、発泡ガラス材の成形品２ａ，２ｃの場合、ｔ＝３〜３０ｃｍとするのが好ましい。なお、発泡ガラス材の成形品２ａ，２ｃは、厚さ３〜５ｃｍ程度の発泡ガラス材のボード材を所定厚さに重ね合わせて形成することができる。厚層基材６の吹付けの際には、このストッパ部材２の厚さを、厚層基材６の吹付け厚さの確認に利用することができる。
【００２８】
発泡ガラス材は、連続間隙構造になっているため、吸水性および保水性に優れており、変質が少なく耐久性が良い。そのため、ストッパ部材２として発泡ガラス材の成形品２ａ，２ｃを使用することで、耐久性が高くなる。また、発泡ガラス材は、廃ガラスのリサイクル製品であるため、これを利用することで環境への配慮も行える。また、発泡ガラス材が軽量であるため、さらに斜面保護に有利となる。
【００２９】
また、ストッパ部材２の木材２ｂ，２ｄとして建設発生木材および間伐材の再利用が可能になるとともに、木材２ｂ，２ｄは将来腐食した場合に、土中において分解し、植物の栄養分となるので、さらに緑化作用を高めることができる。この木材２ｂ，２ｄが腐食する時期には、厚層基材６の吹付け面は緑化進捗し、安定しているので、滑落することはない。
【００３０】
なお、本実施形態における斜面緑化工法を適用する地盤条件としては、粘性土、れき混じり土から構成される盛土地盤や、粘性土、れき混じり土、軟岩、硬岩（岩盤）から構成される地山地盤等が考えられる。
【００３１】
地盤１が、法切工斜面で岩盤の場合、地盤１に厚層基材６を吹き付けた後、降雨により浸透した雨水が流下し、厚層基材６が滑落する可能性があるので、ストッパ部材２を前述の配置で立設するとともに、図１（ｂ）に示すようにラス金網４を張るのが望ましい。
【００３２】
地盤１が、盛土斜面や法切工斜面で、粘性土、れき混じり土、軟岩であれば、厚層基材６の吹き付け時に、厚層基材６が地盤１と馴染みやすいので、降雨による雨水が地山の斜面に沿って流下しても、ストッパ部材２がストッパとしての役目を果たすため、厚層基材６の滑落は起こりにくい。
【００３３】
地盤１が、盛土斜面や切土斜面で、粘性土、れき混じり土の比較的Ｎ値（標準貫入試験（日本工業規格Ａ１２１９）が小さい（Ｎ＜３０）場合には、地盤１が滑る可能性がある。この場合、地盤１が滑る可能性があると判断すれば、ストッパ部材２を受圧板として、アンカーピン３をＬ＝０．５〜３．０ｍに長くする。これにより、地盤１の補強としてストッパ部材２およびアンカーピン３を利用することができ、安定度の高い法面や斜面を形成することができる。
【産業上の利用可能性】
【００３４】
本発明の斜面緑化工法および斜面緑化用部材は、山間地の傾斜面や新規造成地の傾斜面などに植物が生育可能な斜面を構築するための工法および部材として有用である。特に、降雨による雨水等の流下に対して厚層基材の滑落を防止することが可能な工法および部材として好適である。
【図面の簡単な説明】
【００３５】
【図１】本発明の実施の形態における斜面緑化工法の工程説明図である。
【図２】図１（ａ）のＡ矢視図である。
【図３】ストッパ部材の例を示す斜視図である。
【符号の説明】
【００３６】
１  地盤
２  ストッパ部材
３  アンカーピン
４  ラス金網
５  係止ピン
６  厚層基材
７  客土層
８  粒状体
【図１】
2006002482.tif 000003
【図２】
2006002482.tif 000004
【図３】
2006002482.tif 000005